(57)【特許請求の範囲】
【請求項１】
遊休モードにおいてＭ２Ｍ（Ｍａｃｈｉｎｅ  ｔｏ  Ｍａｃｈｉｎｅ）機器によってマルチキャスト動作を実行するための方法であって、
前記方法は、
基地局から、ページングリスニング区間において、マルチキャストトラフィックインディケーションを含むページングメッセージを受信することと、
前記基地局から前記遊休モードにおいてマルチキャストデータを受信することと
を含み、
前記ページングメッセージが、前記マルチキャストデータが前記基地局によって伝送されるフレームを示す時間情報をさらに含む場合、前記マルチキャストデータの受信は、前記時間情報によって示されるフレームにおいて開始され、前記Ｍ２Ｍ機器は、前記フレームまでにパワーダウンされ、
前記ページングメッセージが、前記時間情報を含まない場合、前記マルチキャストデータの受信は、前記ページングリスニング区間において開始される、方法。
【請求項２】
前記時間情報は、前記基地局が前記マルチキャストデータの伝送を開始するフレーム番号に対応する、請求項１に記載の方法。
【請求項３】
前記ページングメッセージは、前記マルチキャストデータの伝送対象となるＭ２Ｍグループを示すＭ２Ｍ機器グループ識別子をさらに含み、
前記Ｍ２Ｍ機器グループ識別子が、前記Ｍ２Ｍ機器が属するＭ２Ｍ機器グループを示す場合、前記マルチキャストデータの受信が実行される、請求項１に記載の方法。
【請求項４】
基地局によってマルチキャスト動作を実行するための方法であって、
前記方法は、
ページングリスニング区間において、遊休モードのＭ２Ｍ（Ｍａｃｈｉｎｅ  ｔｏ  Ｍａｃｈｉｎｅ）機器に、マルチキャストトラフィックインディケーションを含むページングメッセージを伝送することと、
マルチキャストデータを前記遊休モードのＭ２Ｍ機器に伝送することと
を含み、
前記マルチキャストデータの伝送が、前記ページングリスニング区間以外の時間において開始される場合、前記ページングメッセージは、前記マルチキャストデータが伝送されるフレームを示す時間情報をさらに含み、
前記マルチキャストデータの伝送が、前記ページングリスニング区間において開始される場合、前記ページングメッセージは、前記時間情報を含まない、方法。
【請求項５】
前記時間情報は、前記基地局が前記マルチキャストデータの伝送を開始するフレーム番号に対応する、請求項４に記載の方法。
【請求項６】
前記ページングメッセージは、前記Ｍ２Ｍ機器が属するＭ２Ｍ機器グループを示すＭ２Ｍ機器グループ識別子をさらに含む、請求項４に記載の方法。
【請求項７】
遊休モードにおいてマルチキャスト動作を実行するように構成されたＭ２Ｍ（Ｍａｃｈｉｎｅ  ｔｏ  Ｍａｃｈｉｎｅ）機器であって、
前記Ｍ２Ｍ機器は、
受信機と、
前記受信機を制御するように構成されたプロセッサと
を含み、
前記プロセッサは、基地局から、ページングリスニング区間において、マルチキャストトラフィックインディケーションを含むページングメッセージを受信するように前記受信機を制御し、前記基地局から前記遊休モードにおいてマルチキャストデータを受信するように前記受信機を制御し、
前記ページングメッセージが、前記マルチキャストデータが前記基地局によって伝送されるフレームを示す時間情報をさらに含む場合、前記マルチキャストデータの受信は、前記時間情報によって示されるフレームにおいて開始され、前記Ｍ２Ｍ機器は、前記フレームまでにパワーダウンされ、
前記ページングメッセージが、前記時間情報を含まない場合、前記マルチキャストデータの受信は、前記ページングリスニング区間において開始される、Ｍ２Ｍ機器。
【請求項８】
前記時間情報は、前記基地局が前記マルチキャストデータの伝送を開始するフレーム番号に対応する、請求項７に記載のＭ２Ｍ機器。
【請求項９】
前記ページングメッセージは、前記マルチキャストデータの伝送対象となるＭ２Ｍグループを示すＭ２Ｍ機器グループ識別子をさらに含み、
前記Ｍ２Ｍ機器グループ識別子が、前記Ｍ２Ｍ機器が属するＭ２Ｍ機器グループを示す場合、前記マルチキャストデータの受信が実行される、請求項７に記載のＭ２Ｍ機器。
【請求項１０】
マルチキャスト動作を実行するように構成された基地局であって、
前記基地局は、
送信機と、
前記送信機を制御するように構成されたプロセッサと
を含み、
前記プロセッサは、ページングリスニング区間において、遊休モードのＭ２Ｍ（Ｍａｃｈｉｎｅ  ｔｏ  Ｍａｃｈｉｎｅ）機器に、マルチキャストトラフィックインディケーションを含むページングメッセージを伝送するように前記送信機を制御し、マルチキャストデータを前記遊休モードのＭ２Ｍ機器に伝送するように前記送信機を制御し、
前記マルチキャストデータの伝送が、前記ページングリスニング区間以外の時間において開始される場合、前記ページングメッセージは、前記マルチキャストデータが伝送されるフレームを示す時間情報をさらに含み、
前記マルチキャストデータの伝送が、前記ページングリスニング区間において開始される場合、前記ページングメッセージは、前記時間情報を含まない、基地局。
【請求項１１】
前記時間情報は、前記基地局が前記マルチキャストデータの伝送を開始するフレーム番号に対応する、請求項１０に記載の基地局。
【請求項１２】
前記ページングメッセージは、前記Ｍ２Ｍ機器が属するＭ２Ｍ機器グループを示すＭ２Ｍ機器グループ識別子をさらに含む、請求項１０に記載の基地局。
【発明の詳細な説明】
【技術分野】
【０００１】
本発明は、マルチキャストスケジューリングを行うためのＭ２Ｍ機器及び基地局、及びその実行方法に関する。
【背景技術】
【０００２】
機器間通信（Ｍａｃｈｉｎｅ  ｔｏ  Ｍａｃｈｉｎｅ、以下、Ｍ２Ｍ）とは、その文字通り、電子装置と電子装置間の通信を意味する。広義には電子装置間の有線あるいは無線通信や、人が制御する装置と機械間の通信を意味する。しかし、最近には、電子装置と電子装置間、すなわち、人間を介在せずに行われる機器間の無線通信を称することが一般的である。
【０００３】
Ｍ２Ｍ通信の概念が初めて導入された１９９０年代前半には、遠隔調整やテレマティックス程度の概念で認識された。また、派生する市場自体も非常に限定的であったが、過去数年間、Ｍ２Ｍ通信は高速成長を繰り返し、全世界的に注目をあびる市場に成長した。特に、販売管理システム（ＰＯＳ、Ｐｏｉｎｔ  Ｏｆ  Ｓａｌｅｓ）と保安に関連する応用市場で物流管理（Ｆｌｅｅｔ  Ｍａｎａｇｅｍｅｎｔ）、機械及び設備の遠隔モニタリング、建設機械設備上の作動時間測定及び熱や電気使用量を自動測定するスマートメーター（Ｓｍａｒｔ  Ｍｅｔｅｒ）などの分野において大きな影響力を発揮した。今後のＭ２Ｍ通信は、既存の移動通信、及び無線超高速インターネットやＷｉ−Ｆｉ及びジグビー（Ｚｉｇｂｅｅ（登録商標））などの小出力通信ソリューションと連係して、より多様な用途に活用され、これ以上Ｂ２Ｂ（Ｂｕｓｉｎｅｓｓ  ｔｏ  Ｂｕｓｉｎｅｓｓ）市場に限定せず、Ｂ２Ｃ（Ｂｕｓｉｎｅｓｓ  ｔｏ  Ｃｏｎｓｕｍｅｒ）市場に領域を拡大できるベースとなるはずである。
【０００４】
Ｍ２Ｍ通信時代において、ＳＩＭ（Ｓｕｂｓｃｒｉｂｅｒ  Ｉｄｅｎｔｉｔｙ  Ｍｏｄｕｌｅ）カードを装着した全ての機械は、データ送受信が可能であるので、遠隔管理及び統制が可能である。例えば、自動車、トラック、汽車、コンテナ、自動販売機、ガスタンクなどの数多くの機器と装備にＭ２Ｍ通信技術を使用することができるなど、適用範囲が非常に広範囲である。
【０００５】
従来は、端末を個別単位で管理することが一般的であるので、基地局と端末間の通信は一対一通信方式で行われた。このような一対一通信方式により数多くのＭ２Ｍ機器が基地局と通信を行うと仮定すると、Ｍ２Ｍ機器のそれぞれと基地局との間に発生するシグナリングによるネットワーク過負荷が予想される。上述したように、Ｍ２Ｍ通信が急激に拡散及び広範囲化する場合、これらＭ２Ｍ機器同士間の、またはＭ２Ｍ機器と基地局との間の通信によるオーバーヘッド（ｏｖｅｒｈｅａｄ）が問題になることがある。したがって、Ｍ２Ｍ通信方式の特性を考慮して、このようなオーバーヘッドの問題を効率的に解決するために、Ｍ２Ｍ機器をスケジューリングすることが必要となる。
【発明の概要】
【発明が解決しようとする課題】
【０００６】
本発明で達成しようとする技術的課題は、Ｍ２Ｍ（Ｍａｃｈｉｎｅ  ｔｏ  Ｍａｃｈｉｎｅ）機器が基地局と通信を行う方法及び装置を提供することにある。
【０００７】
本発明で達成しようとする技術的課題は、基地局がＭ２Ｍ（Ｍａｃｈｉｎｅ  ｔｏ  Ｍａｃｈｉｎｅ）機器と通信を行う方法及び装置を提供することにある。
【０００８】
本発明で達成しようとする更に他の技術的課題は、基地局と通信を行うＭ２Ｍ（Ｍａｃｈｉｎｅ  ｔｏ  Ｍａｃｈｉｎｅ）機器を提供することにある。
【０００９】
本発明で達成しようとする更に他の技術的課題は、Ｍ２Ｍ（Ｍａｃｈｉｎｅ  ｔｏ  Ｍａｃｈｉｎｅ）機器と通信を行う基地局を提供することにある。
【課題を解決するための手段】
【００１０】
上記の技術的課題を達成するための、本発明に係るＭ２Ｍ（Ｍａｃｈｉｎｅ  ｔｏ  Ｍａｃｈｉｎｅ）機器が基地局と通信を行う方法において、前記基地局から、ページングメッセージを受信することと、前記ページングメッセージに基づいて、前記基地局からマルチキャストデータを受信することを含み、前記ページングメッセージは、前記基地局が前記マルチキャストデータを前記Ｍ２Ｍ機器に伝送する時間を示す時間情報を含むことができる。前記時間情報は、前記基地局が前記マルチキャストデータの伝送を開始するフレーム番号、サブフレーム番号、またはスーパーフレーム番号を指示する情報であってもよい。または、前記時間情報は、前記Ｍ２Ｍ機器が前記マルチキャストデータを受信するための待機時間を指示するフレームオフセットであってもよい。または、前記ページングメッセージは、前記マルチキャストデータを伝送するか否かを示すマルチキャストトラフィック指示子、及び前記マルチキャストデータの伝送対象となるＭ２Ｍグループを指示するＭ２Ｍ機器グループ識別子をさらに含むことができる。
【００１１】
上記の他の技術的課題を達成するための、本発明に係る基地局がＭ２Ｍ（Ｍａｃｈｉｎｅ  ｔｏ  Ｍａｃｈｉｎｅ）機器と通信を行う方法において、前記Ｍ２Ｍ機器に、ページングメッセージを伝送することと、前記ページングメッセージに基づいてマルチキャストデータをＭ２Ｍ機器に伝送し、前記ページングメッセージは、前記基地局が前記マルチキャストデータを前記Ｍ２Ｍ機器に伝送する時間を示す時間情報を含むことができる。前記時間情報は、前記基地局が前記マルチキャストデータの伝送を開始するフレーム番号、サブフレーム番号、またはスーパーフレーム番号を指示する情報であってもよい。または、前記時間情報は、前記Ｍ２Ｍ機器が前記マルチキャストデータを受信するための待機時間を指示するフレームオフセットであってもよい。または、前記ページングメッセージは、前記マルチキャストデータを伝送するか否かを示すマルチキャストトラフィック指示子、及び前記マルチキャストデータの伝送対象となるＭ２Ｍグループを指示するＭ２Ｍ機器グループ識別子をさらに含むことができる。
【００１２】
上記の更に他の技術的課題を達成するための、本発明に係る基地局と通信を行うＭ２Ｍ（Ｍａｃｈｉｎｅ  ｔｏ  Ｍａｃｈｉｎｅ）機器において、前記基地局から、ページングメッセージを受信する受信機と、前記受信機を制御するように構成されたプロセッサとを含み、前記プロセッサは、前記ページングメッセージに基づいて、前記基地局からマルチキャストデータを受信するように前記受信機を制御し、前記ページングメッセージは、前記基地局が前記マルチキャストデータを前記Ｍ２Ｍ機器に伝送する時間を示す時間情報を含むことができる。前記時間情報は、前記基地局が前記マルチキャストデータの伝送を開始するフレーム番号、サブフレーム番号、またはスーパーフレーム番号を指示する情報であってもよい。または、前記時間情報は、前記Ｍ２Ｍ機器が前記マルチキャストデータを受信するための待機時間を指示するフレームオフセットであってもよい。または、前記ページングメッセージは、前記マルチキャストデータを伝送するか否かを示すマルチキャストトラフィック指示子、及び前記マルチキャストデータの伝送対象となるＭ２Ｍグループを指示するＭ２Ｍ機器グループ識別子をさらに含むことができる。
【００１３】
上記の更に他の技術的課題を達成するための、本発明に係るＭ２Ｍ（Ｍａｃｈｉｎｅ  ｔｏ  Ｍａｃｈｉｎｅ）機器と通信を行う基地局装置において、前記Ｍ２Ｍ機器に、ページングメッセージを伝送する送信機と、前記送信機を制御するように構成されたプロセッサとを含み、前記プロセッサは、前記ページングメッセージに基づいて、マルチキャストデータをＭ２Ｍ機器に伝送するように前記送信機を制御し、前記ページングメッセージは、前記基地局が前記マルチキャストデータを前記Ｍ２Ｍ機器に伝送する時間を示す時間情報を含むことができる。前記時間情報は、前記基地局が前記マルチキャストデータの伝送を開始するフレーム番号、サブフレーム番号、またはスーパーフレーム番号を指示する情報であってもよい。または、前記時間情報は、前記Ｍ２Ｍ機器が前記マルチキャストデータを受信するための待機時間を指示するフレームオフセットであってもよい。または、前記ページングメッセージは、前記マルチキャストデータを伝送するか否かを示すマルチキャストトラフィック指示子、及び前記マルチキャストデータの伝送対象となるＭ２Ｍグループを指示するＭ２Ｍ機器グループ識別子をさらに含むことができる。
本明細書は、例えば、以下の項目も提供する。
（項目１）
Ｍ２Ｍ（Ｍａｃｈｉｎｅ  ｔｏ  Ｍａｃｈｉｎｅ）機器が基地局と通信を行う方法において、
上記基地局から、ページングメッセージを受信することと、
上記ページングメッセージに基づいて、上記基地局からマルチキャストデータを受信することを含み、
上記ページングメッセージは、上記基地局が上記マルチキャストデータを上記Ｍ２Ｍ機器に伝送する時間を示す時間情報を含む、Ｍ２Ｍ機器の通信実行方法。
（項目２）
上記時間情報は、上記基地局が上記マルチキャストデータの伝送を開始するフレーム番号、サブフレーム番号、またはスーパーフレーム番号を指示する情報であることを特徴とする、項目１に記載のＭ２Ｍ機器の通信実行方法。
（項目３）
上記時間情報は、上記Ｍ２Ｍ機器が上記マルチキャストデータを受信するための待機時間を指示するフレームオフセットであることを特徴とする、項目１に記載のＭ２Ｍ機器の通信実行方法。
（項目４）
上記ページングメッセージは、上記マルチキャストデータを伝送するか否かを示すマルチキャストトラフィック指示子、及び上記マルチキャストデータの伝送対象となるＭ２Ｍグループを指示するＭ２Ｍ機器グループ識別子をさらに含むことを特徴とする、項目１ないし３のいずれかに記載のＭ２Ｍ機器の通信実行方法。
（項目５）
基地局がＭ２Ｍ（Ｍａｃｈｉｎｅ  ｔｏ  Ｍａｃｈｉｎｅ）機器と通信を行う方法において、
上記Ｍ２Ｍ機器に、ページングメッセージを伝送することと、
上記ページングメッセージに基づいてマルチキャストデータをＭ２Ｍ機器に伝送し、
上記ページングメッセージは、上記基地局が上記マルチキャストデータを上記Ｍ２Ｍ機器に伝送する時間を示す時間情報を含む、基地局の通信実行方法。
（項目６）
上記時間情報は、上記基地局が上記マルチキャストデータの伝送を開始するフレーム番号、サブフレーム番号、またはスーパーフレーム番号を指示する情報であることを特徴とする、項目５に記載の基地局の通信実行方法。
（項目７）
上記時間情報は、上記Ｍ２Ｍ機器が上記マルチキャストデータを受信するための待機時間を指示するフレームオフセットであることを特徴とする、項目５に記載の基地局の通信実行方法。
（項目８）
上記ページングメッセージは、上記マルチキャストデータを伝送するか否かを示すマルチキャストトラフィック指示子、及び上記マルチキャストデータの伝送対象となるＭ２Ｍグループを指示するＭ２Ｍ機器グループ識別子をさらに含むことを特徴とする、項目５ないし７のいずれかに記載の基地局の通信実行方法。
（項目９）
基地局と通信を行うＭ２Ｍ（Ｍａｃｈｉｎｅ  ｔｏ  Ｍａｃｈｉｎｅ）機器において、
受信機と、
上記受信機を制御するように構成されたプロセッサとを含み、
上記プロセッサは、上記基地局からページングメッセージを受信するように上記受信機を制御し、上記ページングメッセージに基づいて、上記基地局からマルチキャストデータを受信するように上記受信機を制御し、
上記ページングメッセージは、上記基地局が上記マルチキャストデータを上記Ｍ２Ｍ機器に伝送する時間を示す時間情報を含む、Ｍ２Ｍ機器。
（項目１０）
上記時間情報は、上記基地局が上記マルチキャストデータの伝送を開始するフレーム番号、サブフレーム番号、またはスーパーフレーム番号を指示する情報であることを特徴とする、項目９に記載のＭ２Ｍ機器。
（項目１１）
上記時間情報は、上記Ｍ２Ｍ機器が上記マルチキャストデータを受信するための待機時間を指示するフレームオフセットであることを特徴とする、項目９に記載のＭ２Ｍ機器。
（項目１２）
上記ページングメッセージは、上記マルチキャストデータを伝送するか否かを示すマルチキャストトラフィック指示子、及び上記マルチキャストデータの伝送対象となるＭ２Ｍグループを指示するＭ２Ｍ機器グループ識別子をさらに含むことを特徴とする、項目９ないし１１に記載のＭ２Ｍ機器。
（項目１３）
Ｍ２Ｍ（Ｍａｃｈｉｎｅ  ｔｏ  Ｍａｃｈｉｎｅ）機器と通信を行う基地局装置において、
送信機と、
上記送信機を制御するように構成されたプロセッサとを含み、
上記プロセッサは、上記Ｍ２Ｍ機器にページングメッセージを伝送するように上記送信機を制御し、上記ページングメッセージに基づいて、マルチキャストデータをＭ２Ｍ機器に伝送するように上記送信機を制御し、
上記ページングメッセージは、上記基地局が上記マルチキャストデータを上記Ｍ２Ｍ機器に伝送する時間を示す時間情報を含む、基地局。
（項目１４）
上記時間情報は、上記基地局が上記マルチキャストデータの伝送を開始するフレーム番号、サブフレーム番号、またはスーパーフレーム番号を指示する情報であることを特徴とする、項目１３に記載の基地局。
（項目１５）
上記時間情報は、上記Ｍ２Ｍ機器が上記マルチキャストデータを受信するための待機時間を指示するフレームオフセットであることを特徴とする、項目１３に記載の基地局。
（項目１６）
上記ページングメッセージは、上記マルチキャストデータを伝送するか否かを示すマルチキャストトラフィック指示子、及び上記マルチキャストデータの伝送対象となるＭ２Ｍグループを指示するＭ２Ｍ機器グループ識別子をさらに含むことを特徴とする、項目１３ないし１５に記載の基地局。
【発明の効果】
【００１４】
本発明の様々な実施形態によって、本発明で提案したマルチキャストトラフィック（ｍｕｌｔｉｃａｓｔ  ｔｒａｆｆｉｃ）伝送方法を用いると、Ｍ２Ｍ機器（ｄｅｖｉｃｅ）の電力消耗を最小化し、Ｍ２Ｍシステムの効率的なリソース使用を最大化することができる。
【００１５】
また、本発明において、Ｍ２Ｍ機器は、休止モード（Ｉｄｌｅ  Ｍｏｄｅ）を終了しなくても、ダウンリンクマルチキャストデータの受信が可能であるので、Ｍ２Ｍシステムを効率的に運用することができる。
【００１６】
本発明で得られる効果は、以上に言及した効果に制限されず、言及していない他の効果は、下記記載から、本発明の属する技術分野における通常の知識を有する者に明確に理解されるであろう。
【図面の簡単な説明】
【００１７】
本発明に関する理解を助けるために詳細な説明の一部として含まれる添付図面は、本発明に係る実施例を提供し、詳細な説明と共に本発明の技術的思想を説明する。
【図１】本発明の一実施形態に係るＭ２Ｍ機器及び基地局などの装置構成を概略的に説明するための図である。
【図２】端末と基地局間のマルチキャストデータ伝送を示す図である。
【図３】Ｍ２Ｍ機器と基地局間のマルチキャストトラフィックを伝送する過程を示す図である。
【図４】同一のページングオフセット値を有するＭ２Ｍ機器と基地局との間のマルチキャストトラフィックを伝送する過程を示す図である。
【図５】異なるページングオフセット値を有するＭ２Ｍ機器と基地局との間のマルチキャストトラフィックを伝送する過程を示す図である。
【図６】本発明の一実施形態に係る端末と基地局間のマルチキャストデータ伝送を示す図である。
【図７】本発明の他の実施形態に係るＭ２Ｍ機器と基地局間のマルチキャストトラフィックを伝送する過程を示す図である。
【図８】本発明の更に他の実施形態に係るＭ２Ｍ機器と基地局間のマルチキャストトラフィックを伝送する過程を示す図である。
【発明を実施するための形態】
【００１８】
以下、本発明の好適な実施形態を、添付の図面を参照して詳細に説明する。添付の図面と共に以下に開示される詳細な説明は、本発明の例示的な実施形態を説明するためのもので、本発明を実施できる唯一の実施形態を示すものではない。以下の詳細な説明は、本発明の完全な理解を提供するために具体的な細部事項を含む。しかし、当業者には、本発明がそれらの具体的な細部事項無しにも実施可能であるということが理解される。
【００１９】
場合によっては、本発明の概念が曖昧になることを避けるために、公知の構造及び装置を省略したり、各構造及び装置の核心機能を中心にしたブロック図の形式で示される。また、本明細書全体にわたって同一の構成要素については同一の図面符号を使用して説明する。
【００２０】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）、Ｍ２Ｍ（Ｍａｃｈｉｎｅ  ｔｏ  Ｍａｃｈｉｎｅ）機器などの移動または固定型のユーザ端の機器を総称するものと仮定する。また、基地局は、Ｎｏｄｅ  Ｂ、ｅＮｏｄｅ  Ｂ、Ｂａｓｅ  Ｓｔａｔｉｏｎ、ＡＮＢ（Ａｄｖａｎｃｅｄ  Ｂａｓｅ  Ｓｔａｔｉｏｎ）、ＡＰ（Ａｃｃｅｓｓ  Ｐｏｉｎｔ）など、端末と通信するネットワーク端の任意のノードを総称するものと仮定する。本明細書では、ＩＥＥＥ  ８０２．１６ｅ／ｍに基づいて説明するが、発明の内容は、３ＧＰＰＬ  ＬＴＥ、ＬＴＥ−Ａシステムのような他の通信システムにも適用可能である。
【００２１】
以下で、Ｍ２Ｍ機器間の通信は、基地局を介した、端末同士間、または人間を介在せずに基地局と端末間において行う情報交換を意味する。したがって、Ｍ２Ｍ機器（Ｄｅｖｉｃｅ）は、上記のようなＭ２Ｍ機器の通信の支援が可能な端末のことを意味する。Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーと呼ぶ。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャー（ｆｅａｔｕｒｅ）は、Ｍ２Ｍアプリケーションの特徴であり、アプリケーションを提供するのに一つ以上の特徴が必要とされることがある。Ｍ２Ｍ機器グループは、共通の一つ以上の特徴を共有するＭ２Ｍ機器のグループを意味する。
【００２２】
Ｍ２Ｍ方式で通信する機器（Ｍ２Ｍ機器、Ｍ２Ｍ通信機器など多様に呼ぶことができる）は、その機器アプリケーションタイプ（Ｍａｃｈｉｎｅ  Ａｐｐｌｉｃａｔｉｏｎ  Ｔｙｐｅ）が増加するにつれて、一定のネットワークにおいてその数が次第に増加する。論議されている機器アプリケーションタイプとしては、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安に関連する応用市場で物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定するスマートメーター（Ｓｍａｒｔ  Ｍｅｔｅｒ）、（１２）監視カメラの監視映像（Ｓｕｒｖｅｉｌｌａｎｃｅ  Ｖｉｄｅｏ）通信などがあるが、これに限定される必要はなく、その他の様々な機器アプリケーションタイプが論議されている。
【００２３】
Ｍ２Ｍ機器の他の一特性は、低い移動性あるいは移動性がないということである。非常に移動性が少ない、または移動性がないということは、Ｍ２Ｍ機器は、長時間の間固定的（ｓｔａｔｉｏｎａｒｙ）であるということを意味する。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような固定された位置を有する特定Ｍ２Ｍアプリケーションのための移動性−関連動作を単純化したり、または最適化することができる。
【００２４】
このように、機器アプリケーションタイプが増加するにつれて、Ｍ２Ｍ通信機器の数は一般の移動通信機の数に比べて飛躍的に増加することができる。したがって、これら全てがそれぞれ個別的に基地局と通信を行う場合、無線インターフェース、ネットワークに深刻な負荷を与えることがある。
【００２５】
以下では、Ｍ２Ｍ通信がＩＥＥＥ  ８０２．１６ｅ／ｍに適用される場合を例示して、本発明の実施例を説明する。しかし、本発明はこれに限定されず、本発明の実施例は、３ＧＰＰ  ＬＴＥシステムなどの他のシステムにも同様の方式で適用することができる。
【００２６】
図１は、本発明の一実施形態に係るＭ２Ｍ機器及び基地局などの装置構成を概略的に説明するための図である。
【００２７】
図１で、Ｍ２Ｍ機器１００（または、Ｍ２Ｍ通信機器と呼ぶことができるが、以下、Ｍ２Ｍ機器と呼ぶ）及び基地局１５０はそれぞれ、ＲＦユニット１１０，１６０、プロセッサ１２０，１７０、及び選択的にメモリ１３０，１８０を含むことができる。そして、各ＲＦユニット１１０，１６０は、送信機１１１，１６１及び受信機１１２，１６２を含むことができる。Ｍ２Ｍ機器１００の例を挙げると、送信機１１１及び受信機１１２は、基地局１５０及び他のＭ２Ｍ機器と信号を送信及び受信するように構成され、プロセッサ１２０は、送信機１１１及び受信機１１２と機能的に接続して、送信機１１１及び受信機１１２が他の機器と信号を送受信する過程を制御するように構成することができる。また、プロセッサ１２０は、伝送する信号に対する各種処理を行った後に、送信機１１１に伝送し、受信機１１２が受信した信号に対する処理を行うことができる。必要に応じて、プロセッサ１２０は、交換されたメッセージに含まれた情報をメモリ１３０に格納することができる。このような構造を用いて、Ｍ２Ｍ機器１００は、以下で説明する様々な実施形態の方法を行うことができる。一方、図１に示されてはいないが、Ｍ２Ｍ機器１００は、その機器アプリケーションタイプによって様々な追加構成を含むことができる。該当のＭ２Ｍ機器１００がスマート計量のためのものである場合、該当のＭ２Ｍ機器１００は、電力測定などのための追加構成を含むことができ、このような電力測定動作は、図１に示されたプロセッサ１２０の制御を受けることもでき、別途に構成されたプロセッサ（図示せず）の制御を受けることもできる。
【００２８】
図１は、Ｍ２Ｍ機器１００と基地局１５０との間に通信が行われる場合を例に挙げて示しているが、本発明に係るＭ２Ｍ通信方法は、Ｍ２Ｍ機器同士間にも発生することができ、それぞれの機器は、図１に示された各装置構成と同一の形態で、以下で説明した様々な実施形態に係る方法を行うことができる。
【００２９】
基地局１５０の送信機１６１及び受信機１６２は、他の基地局、Ｍ２Ｍサーバー、Ｍ２Ｍ機器と信号を送信及び受信するように構成され、プロセッサ１７０は、送信機１６１及び受信機１６２と機能的に接続して、送信機１６１及び受信機１６２が他の機器と信号を送受信する過程を制御するように構成することができる。また、プロセッサ１７０は、伝送する信号に対する各種処理を行った後に、送信機１６１に伝送し、受信機１６２が受信した信号に対する処理を行うことができる。必要に応じて、プロセッサ１７０は、交換されたメッセージに含まれた情報をメモリ１８０に格納することができる。このような構造を用いて、基地局１５０は、上記で説明した様々な実施形態の方法を行うことができる。
【００３０】
Ｍ２Ｍ機器１００及び基地局１５０のそれぞれのプロセッサ１２０，１７０は、それぞれＭ２Ｍ機器１００及び基地局１５０での動作を指示（例えば、制御、調整、管理など）する。それぞれのプロセッサ１２０，１７０は、プログラムコード及びデータを格納するメモリ１３０，１８０と接続することができる。メモリ１３０，１８０は、プロセッサ１２０，１７０に接続されて、オペレーティングシステム、アプリケーション、及び一般ファイル（ｇｅｎｅｒａｌ  ｆｉｌｅｓ）を格納する。
【００３１】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１２０，１７０は、ハードウェア（ｈａｒｄｗａｒｅ）、ファームウェア（ｆｉｒｍｗａｒｅ）、ソフトウェア、またはこれらの結合によって具現することができる。ハードウェアを用いて本発明の実施例を具現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）またはＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ１２０，１７０に備えることができる。
【００３２】
一方、ファームウェアやソフトウェアを用いて本発明の実施例を具現する場合には、本発明の機能または動作を行うモジュール、手順、または関数などが含まれるようにファームウェアやソフトウェアを構成することができ、本発明を行うことができるように構成されたファームウェアまたはソフトウェアは、プロセッサ１２０，１７０内に備えたり、メモリ１３０，１８０に格納してプロセッサ１２０，１７０によって駆動することができる。
【００３３】
以下で、遊休モード（Ｉｄｌｅ  Ｍｏｄｅ）は、端末の電力を節約するために、端末と基地局間のシグナリングを通じて、基地局が承認したページンググループ（Ｐａｇｉｎｇ  Ｇｒｏｕｐ）、ページングサイクル（Ｐａｇｉｎｇ  Ｃｙｃｌｅ）、ページングオフセット（Ｐａｇｉｎｇ  Ｏｆｆｓｅｔ）を運用するモードである。すなわち、端末が広範囲な地域にわたって複数の基地局がある無線リンク環境を徘徊しても、特定の基地局に登録することなく周期的にダウンリンクブロードキャスト（ｂｒｏａｄｃａｓｔ）メッセージを受信することができるメカニズムである。
【００３４】
遊休モードは、ハンドオーバ（ｈａｎｄｏｖｅｒ；ＨＯ）だけでなく、全ての正常動作（ｎｏｒｍａｌ  ｏｐｅｒａｔｉｏｎ）を停止し、一定区間でのみブロードキャストメッセージであるページングメッセージ（ｐａｇｉｎｇ  ｍｅｓｓａｇｅ）を受信することができるようにダウンリンク同期化（ｄｏｗｎｌｉｎｋ  ｓｙｎｃｈｒｏｎｉｚａｔｉｏｎ）のみを取っている状態である。ページングメッセージは、端末にページング動作（ｐａｇｉｎｇ  ａｃｔｉｏｎ）を指示するメッセージである。例えば、ページング動作には、レンジング実行、及びネットワーク再進入（ｎｅｔｗｏｒｋ  ｒｅｅｎｔｒｙ）などがある。
【００３５】
遊休モードは、端末によって開始されたり、基地局によって開始されてもよい。すなわち、端末は、登録解除要請（ＤＲＥＧ−ＲＥＱ）メッセージを基地局に伝送し、これに対する応答として登録解除応答（ＤＲＥＧ−ＲＳＰ）メッセージを基地局から受信することによって、遊休モードに進入することができる。また、基地局が、端末に、非要請登録解除応答（ＤＲＥＧ−ＲＳＰ）メッセージまたは登録解除命令（ＤＲＥＧ−ＣＭＤ）メッセージを伝送することによって、遊休モードに進入することができる。
【００３６】
遊休モードにおいて、端末が、利用可能区間（Ａｖａｉｌａｂｌｅ  Ｉｎｔｅｒｖａｌ：ＡＩ）の間に自身に該当するページングメッセージ（ｐａｇｉｎｇ  ｍｅｓｓａｇｅ）を受信する場合、基地局とネットワーク進入過程を通じて接続モード（ｃｏｎｎｅｃｔｅｄ  ｍｏｄｅ）に切り替えて、データを送受信する。
【００３７】
遊休状態（Ｉｄｌｅ  Ｓｔａｔｅ）または遊休モード（Ｉｄｌｅ  Ｍｏｄｅ）動作は、一般に、端末が多重基地局で構成された無線リンク環境を移動する際に、特定の基地局に登録しなくてもダウンリンクブロードキャストトラフィック伝送を周期的に行うことができるように支援する動作のことをいう。端末は、一定時間の間に基地局からトラフィック（ｔｒａｆｆｉｃ）を受信しない場合、電力を節約（Ｐｏｗｅｒ  ｓａｖｉｎｇ）するために遊休状態に遷移することができる。遊休モードに遷移した端末は、利用可能区間（Ａｖａｉｌａｂｌｅ  Ｉｎｔｅｒｖａｌ：ＡＩ）の間に基地局が放送する放送メッセージ（例えば、ページングメッセージ）を受信して、一般モード（ｎｏｒｍａｌ  ｍｏｄｅ）に遷移するか、または遊休状態にとどまるかを判断することができる。
【００３８】
遊休状態は、ハンドオーバと関連する活性要求及び一般的な運営要求を除去することによって、端末にいい影響を｛りえき｝与えることができる。遊休状態は、端末活動を離散周期でスキャニングするように制限することによって、端末が使用する電力及び運用リソースの節約を可能にすることができる。また、遊休状態は、端末に、ペンディング（ｐｅｎｄｉｎｇ）中のダウンリンクトラフィックについて知らせることができる簡単で且つ適切な方式を提供し、非活動的な端末から無線インターフェース及びネットワークハンドオーバ（ＨａｎｄＯｖｅｒ、ＨＯ）トラフィックを除去することによって、ネットワーク及び基地局にいい影響を与えることができる。
【００３９】
ページングとは、移動通信において着信呼の発生時に、該当する端末の位置（例えば、どの基地局またはどの交換局など）を把握する機能のことをいう。遊休状態または遊休モードを支援する多数の基地局は、特定のページンググループ（Ｐａｇｉｎｇ  Ｇｒｏｕｐ）に属してページング領域を構成することができる。このとき、ページンググループは、論理的なグループを示す。ページンググループの目的は、端末をターゲット（ｔａｒｇｅｔ）とするトラフィックがあれば、ダウンリンクでページ（ｐａｇｅ）され得る隣接範囲領域を提供するためのものである。ページンググループは、特定の端末が同一のページンググループ内でほとんどの時間の間に存在できる程度に十分に大きく、ページング負荷が適正な水準を維持するために十分に小さくなければならないという条件を満たすように構成されることが好ましい。
【００４０】
ページンググループは、一つ以上の基地局を含むことができ、一つの基地局は、一つまたはそれ以上のページンググループに含まれてもよい。ページンググループは、管理システムで定義する。ページンググループではページンググループ−実行（ａｃｔｉｏｎ）バックボーンネットワークメッセージを使用することができる。また、ページング制御器は、バックボーンネットワークメッセージの一つであるページング公知（ｐａｇｉｎｇ−ａｎｎｏｕｎｃｅ）メッセージを用いて遊休状態である端末のリストを管理し、ページンググループに属する全ての基地局の初期ページングを管理することができる。
【００４１】
遊休モード（ｉｄｌｅ  ｍｏｄｅ）でのページングは、説明の便宜のためにＩＥＥＥ  ８０２．１６システムを基準に記述する。しかし、本発明の技術的な思想がこれに限定されるものではない。端末は、遊休モードに進入するために、基地局との登録解除を要請するために基地局に登録解除要請（ＤＲＥＧ−ＲＥＱ）メッセージを伝送する。その後、基地局は、前記ＤＲＥＧ−ＲＥＱメッセージに対する応答として、登録解除応答（ＤＲＥＧ−ＲＳＰ）メッセージを端末に伝送する。このとき、前記ＤＲＥＧ−ＲＳＰメッセージはページング情報（Ｐａｇｉｎｇ  Ｉｎｆｏｒｍａｔｉｏｎ）を含む。ここで、端末の遊休モードへの進入は、基地局の要請によって開始されてもよい。この場合、基地局は端末にＤＲＥＧ−ＲＳＰメッセージを伝送する。
【００４２】
前記ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）、及びページングリスニング区間（Ｐａｇｉｎｇ  Ｌｉｓｔｅｎｉｎｇ  Ｉｎｔｅｒｖａｌ）の値などを含むことができる。
【００４３】
基地局からＤＲＥＧ−ＲＳＰメッセージを受信した端末は、前記ページング情報を参照して遊休モードに進入する。遊休モードは、ページング周期（Ｐａｇｉｎｇ  Ｃｙｃｌｅ）を有し、一つのページング周期は、利用可能区間（Ａｖａｉｌａｂｌｅ  Ｉｎｔｅｒｖａｌ）及び利用不可能区間（Ｕｎａｖａｉｌａｂｌｅ  Ｉｎｔｅｒｖａｌ）で構成することができる。このとき、利用可能区間は、ページングリスニング区間またはページング区間（ｐａｇｉｎｇ  ｉｎｔｅｒｖａｌ）と同一の概念である。ページングオフセットは、ページング周期内においてページング区間が始まる時点（一例として、フレームまたはサブフレーム）を示す。また、ページンググループ識別子は、端末に割り当てられたページンググループの識別子を示す。また、前記ページング情報は、ページングメッセージオフセット（ｐａｇｉｎｇ  ｍｅｓｓａｇｅ  ｏｆｆｓｅｔ）情報を含むことができる。ここで、前記ページングメッセージオフセット情報は、基地局からページングメッセージが伝送される時点を示す。その後、端末は、前記ページング情報を用いて利用可能区間、すなわち、ページングリスニング区間（Ｐａｇｉｎｇ  Ｌｉｓｔｅｎｉｎｇ  Ｉｎｔｅｒｖａｌ）において自身に伝達されるページングメッセージを受信することができる。ここで、前記ページングメッセージは、基地局またはページング制御器を通じて伝送され得る。すなわち、端末は、ページングメッセージを受信するために、ページング周期に応じて無線チャネルをモニタする。
【００４４】
遊休モードにある端末は、自身のページングリスニング区間においてページングメッセージを受信して、自身に伝達されるダウンリンク（ＤＬ）データがあるかを確認する。仮に、ダウンリンクデータがあれば（すなわち、ｐｏｓｉｔｉｖｅ  ｉｎｄｉｃａｔｉｏｎ）、端末は、レンジング（ｒａｎｇｉｎｇ）過程を含んだネットワーク再進入（ｎｅｔｗｏｒｋ  ｒｅｅｎｔｒｙ）過程を行う。その後、ＤＳＡ（Ｄｙｎａｍｉｃ  Ｓｅｒｖｉｃｅ  Ａｄｄｉｔｉｏｎ）過程を通じて、関連したダウンリンクサービスフローに対する接続を設定する過程を行う。前記サービスフローに対する接続が設定された後、基地局は、端末に、該当のサービスに対するダウンリンクデータを伝送する。
【００４５】
図２は、端末と基地局間のダウンリンクデータ伝送の例を示す図である。図２による発明は、既存のシステムにおいて、遊休モード（Ｉｄｌｅ  ｍｏｄｅ）において端末がダウンリンクトラフィック（ＤＬ  ｔｒａｆｆｉｃ）を受けるために、端末は、ページングメッセージ（ｐａｇｉｎｇ  ｍｅｓｓａｇｅ）を受けた後、ネットワーク再進入（ｎｅｔｗｏｒｋ  ｒｅｅｎｔｒｙ）を行う。
【００４６】
遊休モード（Ｉｄｌｅ  ｍｏｄｅ）にある端末は、自身のページングリスニング区間（ｐａｇｉｎｇ  ｌｉｓｔｅｎｉｎｇ  ｉｎｔｅｒｖａｌ）においてページングメッセージ（ｐａｇｉｎｇ  ｍｅｓｓａｇｅ）を受けて、自身に伝達されるダウンリンクデータ（ＤＬ  ｄａｔａ）があるかを確認する。仮に、ダウンリンクデータ（ＤＬ  ｄａｔａ）があれば（すなわち、ｐｏｓｉｔｉｖｅ  ｉｎｄｉｃａｔｉｏｎ）、端末は、レンジング（ｒａｎｇｉｎｇ）過程を含んだネットワーク再進入（ｎｅｔｗｏｒｋ  ｒｅｅｎｔｒｙ）過程を行う。その後、ＤＳＡ（Ｄｙｎａｍｉｃ  Ｓｅｒｖｉｃｅ  Ａｄｄｉｔｉｏｎ）過程を通じて、関連したダウンリンク（ＤＬ）サービスフローに対する接続を設定する過程を行う。サービスフローに対する接続が設定されると、基地局は、端末に、該当のサービスに対するダウンリンクデータ（ＤＬ  ｄａｔａ）を伝送する。
【００４７】
Ｍ２Ｍシナリオにおいて、ほとんどのＭ２Ｍ機器（ｄｅｖｉｃｅ）は、携帯電話のような既存端末のようにユーザが持ち歩く端末ではないため、Ｍ２Ｍ機器に対する自動アプリケーション（ａｕｔｏｍａｔｉｃ  ａｐｐｌｉｃａｔｉｏｎ）またはファームウェアアップデート（ｆｉｒｍｗａｒｅ  ｕｐｄａｔｅ）過程は、Ｍ２Ｍサービスシナリオにおいて主要なアプリケーション（ａｐｐｌｉｃａｔｉｏｎ）となり得る。例えば、各機器（ｄｅｖｉｃｅ）のファームウェアをアップデートするために、Ｍ２Ｍサーバーは、該当のアプリケーションを持つＭ２Ｍ機器に、アップデートされた情報を伝送することができる。複数の端末に共通に伝送しなければならないこのようなマルチキャストデータを、遊休モードのＭ２Ｍ機器に伝送するために、図２の実施例に係る基地局は、該当のＭ２Ｍ機器をページングする。ページングを受けた端末は、ランダムアクセスコード（ｒａｎｄｏｍ  ａｃｃｅｓｓ  ｃｏｄｅ）の伝送を開始して、ネットワーク再進入（ｎｅｔｗｏｒｋ  ｒｅｅｎｔｒｙ）過程を行ってネットワークに接続し、基地局から、伝送したダウンリンクトラフィック（ＤＬ  ｔｒａｆｆｉｃ）を受ける。このような過程は、ネットワーク（ｎｅｔｗｏｒｋ）の無駄なリソースの使用を増加させ、また、端末の電力消耗を増加させるという問題がある。
【００４８】
上記のような問題点を解決するために、本発明に係るＭ２Ｍ通信において、遊休モード（Ｉｄｌｅ  Ｍｏｄｅ）の端末に、イベントトリガー（ｅｖｅｎｔ  ｔｒｉｇｇｅｒｅｄ）方式で生成されるマルチキャストデータ（ｍｕｌｔｉｃａｓｔ  ｄａｔａ）を伝送する時、ページング（ｐａｇｉｎｇ）方法を用いて、遊休モードのＭ２Ｍ機器（Ｍ２Ｍ  ｄｅｖｉｃｅ）がマルチキャストデータを効率的に受けることができるように提供する。
【００４９】
図３は、本発明の一実施例に係る端末と基地局間のマルチキャストデータ伝送の例を示す図である。
【００５０】
基地局は、ネットワークからダウンリンクマルチキャストデータ（ＤＬ  ｍｕｌｔｉｃａｓｔ  ｄａｔａ）を受けると、ダウンリンクマルチキャストデータをセル内にある端末に伝送する前に、遊休モードにある端末に、先にダウンリンクマルチキャストデータがあるということをページングメッセージを通じて知らせる。そのために、ページングメッセージは、マルチキャストトラフィック指示子（ｍｕｌｔｉｃａｓｔ  ｔｒａｆｆｉｃ  ｉｎｄｉｃａｔｉｏｎ）（例えば、Ａｃｔｉｏｎ  ｃｏｄｅ＝０ｂ１０、関連するＩＤ（Ｍ２Ｍ  ｇｒｏｕｐ  ＩＤ））を含めて伝送する。遊休モードの端末がページングメッセージを受けた時、マルチキャストトラフィック指示子があるかを確認し、マルチキャストトラフィック指示子があれば、自身に属したグループ（または、端末に割り当てられたマルチキャストデータに関連するＩＤ）に対するＭ２ＭグループＩＤが含まれているかを確認する。仮に、端末に該当するＩＤがあれば、端末は、遊休モードを維持しながら（すなわち、ネットワーク再進入を行わずに）、ダウンリンクマルチキャストデータを受ける動作を行う。
【００５１】
図４は、同一のページングオフセット値を有するＭ２Ｍ機器と基地局との間のマルチキャストトラフィックを伝送する過程を示す図である。
【００５２】
図４で、遊休モードにある端末が、リスニング区間（ｌｉｓｔｅｎｉｎｇ  ｉｎｔｅｒｖａｌ）または利用可能区間（Ａｖａｉｌａｂｌｅ  Ｉｎｔｅｒｖａｌ：ＡＩ）の間に、基地局にアクションコードが０ｂ１０であるマルチキャストトラフィック指示子を伝送し、マルチキャストトラフィックのためのグループ情報（Ｍ２Ｍ  ｇｒｏｕｐ  ＩＤ）を受信する。前記グループ情報が、自身が属したグループである場合、端末は、ネットワーク再進入（ｎｅｔｗｏｒｋ  ｒｅｅｎｔｒｙ）無しで、マルチキャストトラフィックを受けることを待つ。
【００５３】
このようなシナリオにおいて、仮に、基地局が、今はマルチキャストデータを伝送するためのダウンリンク（ＤＬ）リソースを持っていないため、ページング（ｐａｇｉｎｇ）の後、長時間の後にマルチキャストデータを伝送する場合、端末は、マルチキャストデータが伝送される前まで続けてダウンリンクチャネルで伝送するデータ（例えば、Ａ−ＭＡＰ  ｏｒ  ＭＡＰのようなダウンリンク制御チャネル情報、ＳＣＤ、ＳＩＩ−ＡＤＶ、ＵＬＰＣ−ＮＩなどのようなｂｒｏａｄｃａｓｔ  ｃｏｎｔｒｏｌ  ＭＡＣ  ｍｅｓｓａｇｅｓなど）を受信及びデコーディングする動作を行わなければならない。これは、端末の無駄な電力消耗を増加させることがある。
【００５４】
図５は、異なるページングオフセット値を有するＭ２Ｍ機器と基地局との間のマルチキャストトラフィックを伝送する過程を示す図である。
【００５５】
一つのＭ２Ｍグループに属する端末が、同一のグループに属しながら、異なるページングオフセット（ｐａｇｉｎｇ  ｏｆｆｓｅｔ）を割り当てられたり、他のページンググループ（ｐａｇｉｎｇ  ｇｒｏｕｐ）に属する場合、同一のＭＧＩＤを割り当てられた端末が、実際にマルチキャストページング（ｍｕｌｔｉｃａｓｔ  ｐａｇｉｎｇ）を受ける時点が互いに異なることがある。そのため、同一のＭ２Ｍグループに属する端末のうち特定端末は、他の端末よりもマルチキャストデータを受けるために待たねばならない時間がさらに長くなることがある。図５は、これに関する例を示す。一つのページングオフセット１，２，３を有した端末が、同一のＭＧＩＤ＝１を割り当てられ、このシナリオにおいて、ページングオフセット３を有した端末は、ページングオフセット１を有した端末よりもさらに長い待機時間（ｗａｉｔｉｎｇ  ｔｉｍｅ）を有することになる。これは、ページングオフセット３を有した端末の無駄な電力消耗を増加させるという問題を発生させる。
【００５６】
これを解決するために、本発明は、次の実施例を提案する。ページングメッセージ（ＩＥＥＥ  ８０２．１６ｍではＡＡＩ−ＰＡＧ−ＡＤＶメッセージ、ＩＥＥＥ  ８０２．１６ｅではＭＯＢ＿ＰＡＧ−ＡＤＶメッセージ、本発明では主にＩＥＥＥ  ８０２．１６ｍ  ＡＡＩ−ＰＡＧ−ＡＤＶを基準に説明する）にＭＴＳＴ（Ｍｕｌｔｉｃａｓｔ  ｔｒａｎｓｍｉｓｓｉｏｎ  ｓｔａｒｔ  ｔｉｍｅ）を含めて伝送する。遊休モードの端末がページングメッセージを受けた時、端末は、遊休モードを維持しながら（すなわち、ネットワーク再進入を行わずに）、ＭＴＳＴに応じて、ダウンリンクマルチキャストデータ（ＤＬ  ｍｕｌｔｉｃａｓｔ  ｄａｔａ）を受ける動作を行う。
【００５７】
図６は、本発明の一実施例であるＭ２Ｍ機器と基地局との間のマルチキャストデータの送受信を示す図である。
【００５８】
本発明の基地局は、所定のＭ２Ｍ機器のためのマルチキャストデータがある場合、前記Ｍ２Ｍ機器にページングメッセージを伝送する時に、前記ページングメッセージにＭＴＳＴを含めて伝送する。本発明の基地局は、特定Ｍ２Ｍグループのためのマルチキャストデータがある場合、前記特定Ｍ２Ｍグループをページングするページングメッセージと共に、または前記ページングメッセージに含めてＭＴＳＴを伝送することができる。または、ページングメッセージを伝送した後直ちに関連するマルチキャストデータを伝送できない場合に限って、ＭＴＳＴを伝送することもできる。Ｍ２Ｍ機器は、自身のページングリスニング区間でページングメッセージ（ＡＡＩ−ＰＡＧ−ＡＤＶ）を受けた時、ページングメッセージにマルチキャスト伝送開始時点（ＭＴＳＴ：Ｍｕｌｔｉｃａｓｔ  Ｔｒａｎｓｍｉｓｓｉｏｎ  Ｓｔａｒｔ  Ｔｉｍｅ）が含まれているかを確認する。マルチキャスト伝送開始時点が含まれていると、前記Ｍ２Ｍ機器は、ＭＴＳＴが示すスーパーフレーム／フレーム／サブフレームの前まで、電力消耗を減少するためにパワーダウン（ｐｏｗｅｒ  ｄｏｗｎ）動作を行うことができる。すなわち、ＭＴＳＴが示すスーパーフレーム／フレーム／サブフレームからマルチキャストデータを受信する動作を行う。ここで、ＭＴＳＴは、基地局がダウンリンクマルチキャストデータの伝送を開始するスーパーフレーム番号／フレーム番号／サブフレーム番号であってもよい。または、ＭＴＳＴは、前記Ｍ２Ｍ機器がページングメッセージを受信した時点を基準に、ダウンリンクマルチキャストデータの伝送開始のために待機する時間であって、フレームオフセット（ｆｒａｍｅ  ｏｆｆｓｅｔ）を意味することができる。また、ＭＴＳＴを示す単位は、フレーム単位、サブフレーム単位、またはスーパーフレーム単位（２０ｍｓ）になることができる。図６でのように、ページングメッセージ（ＰＡＧ−ＡＤＶ）は、ＭＴＳＴを含むことができる。各Ｍ２Ｍ機器は、異なるページングオフセット値を含むことができ、図６でのように、ページングオフセット１，２，３は、それぞれ異なる値を有するようになる。ページングオフセット２，３を有するＭ２Ｍ機器は、ページングメッセージを伝送した後直ちにマルチキャストデータを伝送することができない。したがって、ページングオフセット２，３を有するＭ２Ｍ機器は、該当のページメッセージに含まれたＭＴＳＴが示すスーパーフレーム／フレーム／サブフレームの前まで電力消耗を減少するためにパワーダウン動作を行うことができる。すなわち、ページングオフセット２を有するＭ２Ｍ機器及びページングオフセット３を有するＭ２Ｍ機器は、ＭＴＳＴが示すスーパーフレーム／フレーム／サブフレームの間に、パワーダウン動作を行うことができる。
【００５９】
参考に、上記でＭＴＳＴが示すフレーム番号は、ＩＥＥＥ  ８０２．１６ｍシステムにおいて、スーパーフレーム番号に基づいて計算できる。すなわち、フレーム番号は、“（スーパーフレーム番号−１）＊４”で定められる。これに反して、ＩＥＥＥ  ８０２．１６ｅシステムにおいて、フレーム番号は、ＭＡＰに存在して、毎フレームごとに伝送される。
【００６０】
前記のような動作を通じて、基地局が、固定された（Ｆｉｘｅｄ）Ｍ２Ｍ機器に、イベントトリガー方式で生成されるマルチキャストデータを伝送する時、ページング方法を用いて、遊休モードのＭ２Ｍ機器（Ｍ２Ｍ  ｄｅｖｉｃｅ）が遊休モードを終了せずに、マルチキャストデータを効率的に提供することができる。
【００６１】
前述した本発明の実施例において、ページングメッセージは、次のように伝送することができる。
【００６２】
下記表１は、マルチキャストトラフィック指示子（ｍｕｌｔｉｃａｓｔ  ｔｒａｆｆｉｃ  ｉｎｄｉｃａｔｉｏｎ）とＭＧＩＤがページングメッセージに含まれる例であって、ＡＡＩ−ＰＡＧ−ＡＤＶフォーマット（ｆｏｒｍａｔ）を示す。
【００６３】
【表１】
0005603503.tif 000002
表１を参照すると、基地局は、ＭＧＩＤをＭ２Ｍ機器に伝達することができる。ＭＧＩＤフィールドは、Ｍ２ＭグループＩＤを意味し、１２ビットで表すことができる。また、Ｎｕｍ＿ＭＧＩＤは、ページングメッセージに含まれたＭＧＩＤの数を示す。基地局は、ページングメッセージ内にアクションコード（Ａｃｔｉｏｎ  ｃｏｄｅ）フィールドを含めてＭ２Ｍ機器に伝達することができる。このようなアクションコードフィールドは、このページングメッセージの目的を指示する。例えば、このページングメッセージの目的が、ネットワーク再進入の実行を指示するものであれば、‘０ｂ００’で、位置更新のためのページングの実行を指示するものであれば、‘０ｂ０１’で、マルチキャストトラフィックの受信を指示するものであれば、‘０ｂ１０’で、アクションが保留（ｒｅｓｅｒｖｅｄ）された状態を指示するものであれば、‘０ｂ１１’で、指示することができる。
【００６４】
しかし、一つのＭ２Ｍグループに属する端末が、同一のグループに属しながら、異なるページングオフセット（ｐａｇｉｎｇ  ｏｆｆｓｅｔ）を割り当てられたり、他のページンググループ（ｐａｇｉｎｇ  ｇｒｏｕｐ）に属する場合、同一のＭＧＩＤを割り当てられた端末が、実際にマルチキャストページング（ｍｕｌｔｉｃａｓｔ  ｐａｇｉｎｇ）を受ける時点が互いに異なることがある。そのため、同一のＭ２Ｍグループに属する端末のうち特定端末は、他の端末よりもマルチキャストデータを受けるために待たねばならない時間がさらに長くなることがある。
【００６５】
上記問題を解決するために、本発明の基地局は、マルチキャストトラフィック指示子（ｍｕｌｔｉｃａｓｔ  ｔｒａｆｆｉｃ  ｉｎｄｉｃａｔｉｏｎ）を含むページングメッセージを伝送する時に、前記基地局が前記マルチキャストデータを伝送し始める時間情報を、前記ページングメッセージに共に含めて伝送する。端末は、前記ページングメッセージを受け、前記ページングメッセージに含まれたマルチキャストデータ伝送開始時間の前まで、電力消耗を減少するためにパワーダウン（ｐｏｗｅｒ  ｄｏｗｎ）動作を行うことができる。図７及び図８は、これに関する実施例を示す。
【００６６】
前記図４及び図５で記載された実施例は、本発明の図６の実施例と共に使用することができる。すなわち、ページングメッセージは、図６で記載されたように、ＭＴＳＴを含むことができ、ＭＴＳＴを含むページングメッセージは、図４及び図５で記載されたように、ＭＧＩＤ及びアクションコード（Ａｃｔｉｏｎ  ｃｏｄｅ）をさらに含むことができる。
【００６７】
図７は、本発明の更に他の実施形態に係るＭ２Ｍ機器と基地局との間のマルチキャストトラフィックを伝送する過程を示す図である。特に、図７は、基地局がマルチキャストデータの伝送を開始する絶対的時間を示すＭＴＳＴが、前記基地局からＭ２Ｍ機器に伝送される実施例を例示したものである。
【００６８】
所定のＭ２Ｍ機器にマルチキャストデータを伝送しようとする基地局は、前記所定のＭ２Ｍ機器が属するＭ２ＭグループのＭＧＩＤ、及び前記マルチキャストデータを伝送する時間を示すＭＴＳＴを含むページングメッセージを伝送する。Ｍ２Ｍ機器は、自身のページングリスニング区間でページングメッセージ（ＡＡＩ−ＰＡＧ−ＡＤＶ）を受ける。前記Ｍ２Ｍ機器は、前記Ｍ２Ｍ機器に割り当てられたＭＧＩＤを用いて、前記ページングメッセージが前記Ｍ２Ｍ機器のためのメッセージであるかを確認する。前記ページングメッセージの対象が前記Ｍ２Ｍ機器であり、前記ページングメッセージのアクションコードがマルチキャストトラフィック指示子（ｍｕｌｔｉｃａｓｔ  ｔｒａｆｆｉｃ  ｉｎｄｉｃａｔｉｏｎ）である０ｂ１０に設定されている場合、前記Ｍ２Ｍ機器は、前記ページングメッセージに含まれたマルチキャスト伝送開始時点（ＭＴＳＴ：ｍｕｌｔｉｃａｓｔ  ｔｒａｎｓｍｉｓｓｉｏｎ  ｓｔａｒｔ  ｔｉｍｅ）を確認する。前記ページングメッセージにＭＴＳＴが含まれていると、前記Ｍ２Ｍ機器は、前記ＭＴＳＴが示すフレームの前まで、電力消耗を減少するためにパワーダウン（ｐｏｗｅｒ  ｄｏｗｎ）動作を行うことができる。すなわち、前記Ｍ２Ｍ機器は、前記ＭＴＳＴが示すフレームから前記マルチキャストデータを受信する動作を行う。
【００６９】
図７を参照すると、基地局は、ページングオフセット２とページングオフセット３を有する端末に、マルチキャストトラフィック指示子及びＭＴＳＴを含むページングメッセージを伝送することができる。このとき、各ＭＴＳＴが、フレーム番号が４２であるフレームを指示すると仮定する。ページングオフセット２を有する端末及びページングオフセット３を有する端末は、ページングメッセージを受けた後、フレーム番号が４２である時にマルチキャストデータを受信する動作を行い、該当のフレームまで電力消耗を減少するための動作を行うことができる。
【００７０】
下記表２は、マルチキャスト伝送開始時間（ＭＴＳＴ）を含むページングメッセージの一例であるＡＡＩ−ＰＡＧ−ＡＤＶフォーマットを示す。
【００７１】
【表２】
0005603503.tif 000003
表２で、ＭＧＩＤフィールド、アクションコードフィールドの意味は表１と同一であるので、このフィールドの具体的な意味に関する説明は省略する。
【００７２】
基地局は、該当のマルチキャストデータを伝送する絶対的時間を示す情報を、ＭＴＳＴとしてＭ２Ｍ機器に伝送することができる。表２を参照すると、例えば、基地局が、該当のマルチキャストデータの伝送を開始するフレーム番号を、ＭＴＳＴとして、前記マルチキャストデータの対象となるＭ２Ｍ機器に伝送することができる。前記マルチキャストデータの伝送対象である端末は、前記ＭＴＳＴが示すフレームの前までパワーダウン動作を行うことで、電力消耗を減少することができる。すなわち、前記ＭＴＳＴが示すフレームからマルチキャストデータの受信を始めることができる。
【００７３】
図８は、本発明の更に他の実施形態に係るＭ２Ｍ機器と基地局との間のマルチキャストトラフィックを伝送する過程を示す図である。特に、図８は、基地局がマルチキャストデータの伝送を開始する相対的時間を示すＭＴＳＴが、前記基地局からＭ２Ｍ機器に伝送される実施例を例示したものである。図７の実施例が、該当のＭ２Ｍ機器に、マルチキャストデータの受信を始めなければならないスーパーフレーム、フレーム、またはサブフレームを指示する情報を絶対値の形態（例えば、スーパーフレーム番号、フレーム番号、またはサブフレーム番号）でＭ２Ｍ機器に伝送するのに対して、図８の実施例は、前記Ｍ２Ｍ機器が前記マルチキャストデータを受信する前まで待機しなければならない時間を示すオフセット値を伝送する。
【００７４】
図８を参照すると、基地局は、ページングオフセット２とページングオフセット３を有した端末に、マルチキャストトラフィック指示子をページングメッセージとして伝達する時に、前記ページングメッセージにＭＴＳＴを含めて伝送する。本実施例によれば、前記ＭＴＳＴは、前記Ｍ２Ｍ機器が前記マルチキャストデータを受信するための待機時間を指示するオフセット値に該当する。例えば、図８を参照すると、ページングオフセット２の端末とページングオフセット３の端末に対するＭＴＳＴ値は、それぞれ３２と４２フレームである。ページングオフセット２の端末は、ページングメッセージを受けた後、３２フレームの後からマルチキャストデータを受信する動作を行い、該当のフレームまで電力消耗を減少するための動作を行うことができる。ページングオフセット３の端末は、ページングメッセージを受けた後、４２フレームの後からマルチキャストデータを受信する動作を行い、該当のフレームまで電力消耗を減少するための動作を行うことができる。
【００７５】
下記表３は、マルチキャスト伝送開始時間を含むページングメッセージの更に他の一例であるＡＡＩ−ＰＡＧ−ＡＤＶフォーマットを示す。
【００７６】
【表３】
0005603503.tif 000004
表２においてＭＴＳＴがフレーム番号となったのに対して、表３においてＭＴＳＴはフレームオフセットを表示する。
【００７７】
表３を参照すると、ＭＴＳＴは、Ｍ２Ｍ機器がページングメッセージを受信した時点を基準に、ダウンリンクマルチキャストデータの伝送開始のために待機する時間であって、フレームオフセットを意味することができる。すなわち、ＭＴＳＴは、Ｍ２Ｍ機器が前記マルチキャストデータを受信するための待機時間を指示するフレームオフセット値である。
【００７８】
ＩＥＥＥ  ８０２．１６ｅベースのＭ２Ｍシステムにおいて、ＭＴＳＴを受けた後に行う端末のオペレーションは、ＩＥＥＥ  ８０２．１６ｍと同一である。すなわち、ＩＥＥＥ  ８０２．１６ｅベースのＭ２Ｍシステムにおいて、Ｍ２Ｍ機器は、ＭＴＳＴが含まれたＭＯＢ＿ＰＡＧ−ＡＤＶを受けると、ＭＴＳＴまで電力消耗を減少することができる。
【００７９】
また、上記においてＭＴＳＴを示す単位がフレーム単位で記載されているが、単位は、サブフレーム単位、またはスーパーフレーム単位（２０ｍｓ）に変更して表示してもよい。
【００８０】
下記表４は、マルチキャスト伝送開始時間を含むページングメッセージの更に他の一例を示す。
【００８１】
下記表４は、各Ｍ２Ｍグループページングパラメータ（ＴＬＶ）は、ＭＯＢ＿ＰＡＧ−ＡＤＶメッセージに含まれてもよい。次の表４のＭＴＳＴは、Ｍ２ＭグループページングパラメータであるＴＬＶにあってもよい。
【００８２】
【表４】
0005603503.tif 000005
表４で、前記ＭＴＳＴはＭＯＢ＿ＰＡＧ−ＡＤＶメッセージに含まれて、基地局は、Ｍ２Ｍ機器に伝送することができる。また、前記ＭＴＳＴは、アクションコード（Ａｃｔｉｏｎ  Ｃｏｄｅ）と共にＭＯＢ＿ＰＡＧ−ＡＤＶメッセージに含まれて伝送され得る。前記マルチキャストトラフィック指示子であるアクションコードが０ｂ１０を示す場合、Ｍ２Ｍ機器はネットワークの再進入を行わずに、マルチキャストトラフィックの受信が可能である。前記マルチキャストトラフィック指示子であるアクションコードが０ｂ１０を示す場合、ＭＴＳＴが示すフレームからマルチキャストデータを受信する動作を行う。表４は、ＩＥＥＥ  ８０２．１６ｅベースのＭ２Ｍシステムにおいて動作することができ、前記ＭＴＳＴを示す単位がフレーム単位で表示されているが、単位がサブフレーム単位またはスーパーフレーム単位（２０ｍｓ）になってもよい。
【００８３】
図１を参照すると、本発明に係る基地局のプロセッサ（以下、基地局プロセッサ）は、一つ以上（主に、複数）のＭ２Ｍ機器を対象とするマルチキャストデータを伝送するために、前記Ｍ２Ｍ機器をページングするページングメッセージを生成することができる。前記基地局プロセッサは、前記Ｍ２Ｍ機器が属するＭ２Ｍグループを識別する情報（例えば、ＭＧＩＤ）及び／または前記マルチキャストデータの存在を示す情報（例えば、０ｂ１０に設定されたアクションコード）を含むように、前記ページングメッセージを生成することができる。また、前記基地局プロセッサは、前記基地局が前記マルチキャストデータの伝送を開始する時間を示す時間情報を含むように、前記ページングメッセージを生成することができる。前記基地局プロセッサは、前記ページングメッセージを前記Ｍ２Ｍ機器に伝送するように、前記基地局の送信機（以下、基地局送信機）を制御することができる。前記基地局プロセッサは、前記基地局送信機を制御して、前記時間情報が指示する時間に前記マルチキャストデータの伝送を開始する。
【００８４】
本発明に係るＭ２Ｍ機器のプロセッサ（以下、Ｍ２Ｍプロセッサ）は、前記Ｍ２Ｍ機器の受信機（以下、Ｍ２Ｍ受信機）を制御して、前記Ｍ２Ｍ機器のリスニング区間に前記基地局から前記ページングメッセージを受信する。前記Ｍ２Ｍプロセッサは、前記ページングメッセージが前記Ｍ２Ｍ機器に関連するメッセージであるか否かを、前記ページングメッセージに含まれたＭ２Ｍ機器グループ情報を用いて確認することができる。また、前記Ｍ２Ｍプロセッサは、前記Ｍ２Ｍ機器が受信しなければならないマルチキャストデータの存在を、前記ページングメッセージを用いて、例えば、前記ページングメッセージ内のアクションコードを用いて認識することができる。前記Ｍ２Ｍプロセッサは、前記ページングメッセージに含まれた時間情報を用いて、前記Ｍ２Ｍ機器が、前記基地局から、いつ前記マルチキャストデータを受信すべきかがわかる。前記Ｍ２Ｍプロセッサは、前記時間情報を用いて、前記マルチキャストデータを受信しなければならない時点まで前記Ｍ２Ｍ機器の電力をダウンすることができる。前記Ｍ２Ｍプロセッサは、前記時間情報によって指示または類推される時間から前記Ｍ２Ｍ受信機の受信電力を高めて、前記マルチキャストデータを前記基地局から受信することができる。前記Ｍ２Ｍ受信機は、前記Ｍ２Ｍプロセッサの制御下に、前記時間情報によって指示された時間に、前記基地局から前記マルチキャストデータを受信することができる。
【００８５】
前述した本発明の各実施例によれば、端末に該当するＩＤがある場合、端末は、遊休モードを維持しながら（すなわち、ネットワーク再進入を行わずに）、遊休モードを終了することなく、ダウンリンクマルチキャストデータ（ＤＬ  ｍｕｌｔｉｃａｓｔ  ｄａｔａ）を受ける動作を行うことで、Ｍ２Ｍシステムを効率的に運用することができる。
【００８６】
以上で説明された各実施例は、本発明の構成要素と特徴が所定の形態に結合されたものである。各構成要素または特徴は、別の明示的な言及がない限り、選択的なものとして考慮しなければならない。各構成要素またはＴＬＶ特徴は、他の構成要素や特徴と結合されない形態で実施することができる。また、一部の構成要素及び／または特徴を結合して本発明の実施例を構成することも可能である。本発明の実施例で説明される動作の順序は変更可能である。ある実施例の一部構成や特徴は、他の実施例に含まれてもよく、または、他の実施例に対応する構成または特徴に取って代わることもできる。特許請求の範囲において明示的な引用関係のない請求項を結合して実施例を構成したり、出願後の補正により新しい請求項として含めることができるということは自明である。
【００８７】
本発明は、本発明の精神及び必須特徴を逸脱しない範囲で、他の特定の形態に具体化できるということは当業者にとって自明である。したがって、上記の詳細な説明は、いずれの面においても制限的に解釈されてはならず、例示的なものとして考慮しなければならない。本発明の範囲は、添付した請求項の合理的解釈により決定されなければならず、本発明の等価的な範囲内における変更はいずれも本発明の範囲に含まれる。
【産業上の利用可能性】
【００８８】
本発明は、無線通信システムに適用することができる。
【図１】
0005603503.tif 000006
【図２】
0005603503.tif 000007
【図３】
0005603503.tif 000008
【図４】
0005603503.tif 000009
【図５】
0005603503.tif 000010
【図６】
0005603503.tif 000011
【図７】
0005603503.tif 000012
【図８】
0005603503.tif 000013